【手続補正書】
【提出日】平成18年10月5日(2006.10.5)
【手続補正１】
【補正対象書類名】特許請求の範囲
【補正対象項目名】全文
【補正方法】変更
【補正の内容】
【特許請求の範囲】
【請求項１】
導入された被検体内において該被検体内の情報を取得する取得手段と、
前記取得手段を駆動させる第１の駆動手段と、
前記取得手段で取得された情報を、前記被検体外に無線送信する無線送信手段と、
予め設定された所定の機能を実行する機能実行手段と、
前記第１の駆動手段が前記取得手段を駆動させる期間とは異なる期間に、前記機能実行手段を駆動させる第２の駆動手段と、
を備えたことを特徴とする無線型被検体内情報取得装置。
【請求項２】
前記無線型被検体内情報取得装置は、
前記被検体外からの無線信号を受信する無線受信手段を、
さらに備え、前記第２の駆動手段は、前記無線受信手段で無線受信された指示信号に基づいて、前記取得手段を駆動させる期間とは異なる期間に、前記機能実行手段を駆動させることを特徴とする請求項１に記載の無線型被検体内情報取得装置。
【請求項３】
導入された被検体内において該被検体内の情報を取得する取得手段と、
前記取得手段を駆動させ、該取得手段による情報取得を異なる速度のモードで行なわせる第１の駆動手段と、
前記第１の駆動手段が前記取得手段を駆動させる駆動期間と、前記モードの切り換える切換期間とが時系列になるように、前記モードの切り換え指示を行う切換指示手段と、
前記取得手段で取得された情報を、前記被検体外に無線送信する無線送信手段と、
を備えたことを特徴とする無線型被検体内情報取得装置。
【請求項４】
前記無線型被検体内情報取得装置は、
前記被検体外からの無線信号を受信する無線受信手段を、
さらに備え、前記切換指示手段は、前記無線受信手段で無線受信された指示信号に基づいて、前記取得手段を駆動させる駆動期間と、前記モードの切り換える切換期間とが時系列になるように、前記モードの切り換え指示を行うことを特徴とする請求項３に記載の無線型被検体内情報取得装置。
【請求項５】
前記前記取得手段は、
前記被検体内を照明する照明光を出力する照明手段と、
前記照明手段で照明された前記被検体内の画像情報を取得する撮像手段からなることを特徴とする請求項１〜４のいずれか一つに記載の無線型被検体内情報取得装置。
【請求項６】
前記機能実行手段は、前記無線型被検体内情報取得装置内において所定の駆動機能を実行するための駆動実行手段からなることを特徴とする請求項１または２に記載の無線型被検体内情報取得装置。
【請求項７】
前記被検体内の情報は画像情報であり、前記モードの切り替えは画像情報取得のフレームレートの切り替えであることを特徴とする請求項３〜５のいずれか一つに記載の無線型被検体内情報取得装置。
【請求項８】
被検体内に導入される無線型被検体内情報取得装置と、前記被検体外に配置され、前記無線型被検体内情報取得装置で得られた情報を無線通信によって取得する通信装置とを有する無線型被検体内情報取得システムにおいて、
前記無線型被検体内情報取得装置は、
導入された被検体内において該被検体内の情報を取得する取得手段と、
前記取得手段を駆動させる第１の駆動手段と、
前記取得手段で取得された情報を、前記被検体外に無線送信する無線送信手段と、
予め設定された所定の機能を実行する機能実行手段と、
前記第１の駆動手段が前記取得手段を駆動させる期間とは異なる期間に、前記機能実行手段を駆動させる第２の駆動手段と、
を備え、前記通信装置は、
前記無線通信された情報を無線受信する無線受信手段を、
備えたことを特徴とする無線型被検体内情報取得システム。
【請求項９】
前記通信装置は、
所定の指示信号を無線送信する無線送信手段を、
さらに備え、前記無線型被検体内情報取得装置は、
前記被検体外からの無線信号を受信する無線受信手段を、
さらに備え、前記第２の駆動手段は、前記無線受信手段で無線受信された指示信号に基づいて、前記取得手段を駆動させる期間とは異なる期間に、前記機能実行手段を駆動させることを特徴とする請求項８に記載の無線型被検体内情報取得システム。
【請求項１０】
被検体内に導入される無線型被検体内情報取得装置と、前記被検体外に配置され、前記無線型被検体内情報取得装置で得られた情報を無線通信によって取得する通信装置とを有する無線型被検体内情報取得システムにおいて、
前記無線型被検体内情報取得装置は、
導入された被検体内において該被検体内の情報を取得する取得手段と、
前記取得手段を駆動させ、該取得手段による情報取得を異なる速度のモードで行なわせる第１の駆動手段と、
前記第１の駆動手段が前記取得手段を駆動させる駆動期間と、前記モードの切り換える切換期間とが時系列になるように、前記モードの切り換え指示を行う切換指示手段と、
前記取得手段で取得された情報を、前記被検体外に無線送信する無線送信手段と、
を備え、前記通信装置は、
前記無線通信された情報を無線受信する無線受信手段を、
備えたことを特徴とする無線型被検体内情報取得システム。
【請求項１１】
前記通信装置は、
所定の指示信号を無線送信する無線送信手段を、
さらに備え、前記無線型被検体内情報取得装置は、
前記被検体外からの無線信号を受信する無線受信手段を、
さらに備え、前記切換指示手段は、前記無線受信手段で無線受信された指示信号に基づいて、前記取得手段を駆動させる駆動期間と、前記モードの切り換える切換期間とが時系列になるように、前記モードの切り換え指示を行うことを特徴とする請求項１０に記載の無線型被検体内情報取得システム。
【請求項１２】
前記被検体内の情報は画像情報であり、前記モードの切り替えは画像情報取得のフレームレートの切り替えであることを特徴とする請求項１０または１１に記載の無線型被検体内情報取得システム。
【手続補正２】
【補正対象書類名】明細書
【補正対象項目名】００１７
【補正方法】変更
【補正の内容】
【００１７】
また、請求項６にかかる無線型被検体内情報取得装置は、上記発明において、前記機能実行手段は、前記無線型被検体内情報取得装置内において所定の駆動機能を実行するための駆動実行手段からなることを特徴とする。
また、請求項７にかかる無線型被検体内情報取得装置は、上記発明において、前記被検体内の情報は画像情報であり、前記モードの切り替えは画像情報取得のフレームレートの切り替えであることを特徴とする。
【手続補正３】
【補正対象書類名】明細書
【補正対象項目名】００１８
【補正方法】変更
【補正の内容】
【００１８】
また、請求項８にかかる無線型被検体内情報取得システムは、被検体内に導入される無線型被検体内情報取得装置と、前記被検体外に配置され、前記無線型被検体内情報取得装置で得られた情報を無線通信によって取得する通信装置とを有する無線型被検体内情報取得システムにおいて、前記無線型被検体内情報取得装置は、導入された被検体内において該被検体内の情報を取得する取得手段と、前記取得手段を駆動させる第１の駆動手段と、前記取得手段で取得された情報を、前記被検体外に無線送信する無線送信手段と、予め設定された所定の機能を実行する機能実行手段と、前記第１の駆動手段が前記取得手段を駆動させる期間とは異なる期間に、前記機能実行手段を駆動させる第２の駆動手段と、を備え、前記通信装置は、前記無線通信された情報を無線受信する無線受信手段を、備えたことを特徴とする。
【手続補正４】
【補正対象書類名】明細書
【補正対象項目名】００１９
【補正方法】変更
【補正の内容】
【００１９】
また、請求項９にかかる無線型被検体内情報取得システムは、上記発明において、前記通信装置は、所定の指示信号を無線送信する無線送信手段を、さらに備え、前記無線型被検体内情報取得装置は、前記被検体外からの無線信号を受信する無線受信手段を、さらに備え、前記第２の駆動手段は、前記無線受信手段で無線受信された指示信号に基づいて、前記取得手段を駆動させる期間とは異なる期間に、前記機能実行手段を駆動させることを特徴とする。
【手続補正５】
【補正対象書類名】明細書
【補正対象項目名】００２０
【補正方法】変更
【補正の内容】
【００２０】
また、請求項１０にかかる無線型被検体内情報取得システムは、被検体内に導入される無線型被検体内情報取得装置と、前記被検体外に配置され、前記無線型被検体内情報取得装置で得られた情報を無線通信によって取得する通信装置とを有する無線型被検体内情報取得システムにおいて、前記無線型被検体内情報取得装置は、導入された被検体内において該被検体内の情報を取得する取得手段と、前記取得手段を駆動させ、該取得手段による情報取得を異なる速度のモードで行なわせる第１の駆動手段と、前記第１の駆動手段が前記取得手段を駆動させる駆動期間と、前記モードの切り換える切換期間とが時系列になるように、前記モードの切り換え指示を行う切換指示手段と、前記取得手段で取得された情報を、前記被検体外に無線送信する無線送信手段と、を備え、前記通信装置は、前記無線通信された情報を無線受信する無線受信手段を、備えたことを特徴とする。
【手続補正６】
【補正対象書類名】明細書
【補正対象項目名】００２１
【補正方法】変更
【補正の内容】
【００２１】
また、請求項１１にかかる無線型被検体内情報取得システムは、上記発明において、前記通信装置は、所定の指示信号を無線送信する無線送信手段を、さらに備え、前記無線型被検体内情報取得装置は、前記被検体外からの無線信号を受信する無線受信手段を、さらに備え、前記切換指示手段は、前記無線受信手段で無線受信された指示信号に基づいて、前記取得手段を駆動させる駆動期間と、前記モードの切り換える切換期間とが時系列になるように、前記モードの切り換え指示を行うことを特徴とする。
また、請求項１２にかかる無線型被検体内情報取得システムは、前記被検体内の情報は画像情報であり、前記モードの切り替えは画像情報取得のフレームレートの切り替えであることを特徴とする。